(57)【要約】【課題】  安定的かつ肩への負担を軽減させて幼児を抱くことができる抱っこ紐の機能を有するウエストバッグの提供。【解決手段】  ウエストバッグ１は、物品を収納可能な収納部２と、ユーザの腰の周囲に取り付ける腰ベルト部３と、収納部２と腰ベルト部３とを繋ぐ接続部４と、一端が収納部２に固定され、他端が接続部４又は収納部２に固定され、ユーザが両肩に背負う背ベルト部５と、を有している。収納部２と接続部４との接続部分には第１折れ線４Ａが規定され、接続部４と腰ベルト部３との接続部分には第２折れ線４Ｂが規定されている。第１折れ線４Ａと第２折れ線４Ｂとを折り畳んだ状態では、接続部４が収納部２及び腰ベルト部３と重複するとともに、背ベルト部５は第１折れ線４Ａを折り畳むことにより接続部４と収納部２との間に規定されるベルト収納空間に収納される。【選択図】図１
2019188077.tif 000002
【特許請求の範囲】
【請求項１】
物品を収納可能な収納部と、
ユーザの腰の周囲に取り付ける腰ベルト部と、
前記収納部と前記腰ベルト部とを繋ぐ接続部と、
一端が前記収納部に固定され、他端が前記接続部又は前記収納部に固定され、前記ユーザが両肩に背負う背ベルトと、を有し、
前記収納部と前記接続部との接続部分には第１折れ線が規定され、
前記接続部と前記腰ベルト部との接続部分には第２折れ線が規定され、
前記第１折れ線と前記第２折れ線とを折り畳んだ状態では、前記接続部が前記収納部及び前記腰ベルト部と重複するとともに、前記背ベルトは前記第１折れ線を折り畳むことにより前記接続部と前記収納部との間に規定されるベルト収納空間に収納されることを特徴とするウエストバッグ。
【請求項２】
前記ユーザが幼児を抱いた状態で前記腰ベルト部を腰に取り付けるとともに前記背ベルトを両肩に背負ったとき、前記収納部は幼児の背中又は腹部を保持し、前記接続部が幼児の臀部を保持し、前記接続部と前記ユーザの腹部との間の空間から前記幼児の脚部が露出することを特徴とする請求項１に記載のウエストバッグ。
【請求項３】
前記腰ベルト部は、前記接続部が接続される被接続部を有し、
前記接続部は、幅方向全幅に亘って前記収納部及び前記被接続部に接続することを特徴とする請求項１または２に記載のウエストバッグ。
【請求項４】
前記収納部には係止部が設けられていて、前記腰ベルト部には係止部と係止可能な被係止部が設けられていて、
前記第１折れ線と前記第２折れ線とを折り畳んだとき、前記係止部と前記被係止部とが互いに係止されることを特徴とする請求項１から３のいずれか１項に記載のウエストバッグ。
【請求項５】
物品を収納可能な収納部と、
ユーザの腰の周囲に取り付ける腰ベルト部と、
前記収納部と前記腰ベルト部とを繋ぐ接続部と、
一端が前記収納部に固定され、他端が前記接続部又は前記収納部に固定され、前記ユーザが両肩に背負う背ベルトと、を有し、
前記接続部と前記収納部との接続部分には折れ線が規定され、
前記折れ線を折り畳んだ状態では、前記収納部が前記腰ベルト部及び前記接続部と重複するとともに、前記背ベルトは前記折れ線を折り畳むことにより前記腰ベルト部及び前記接続部と前記収納部との間に規定されるベルト収納空間に収納されることを特徴とするウエストバッグ。
【発明の詳細な説明】
【技術分野】
【０００１】
本発明はウエストバッグに関し、特に幼児を抱っこする機能を有するウエストバッグに関する。
【背景技術】
【０００２】
従来から、幼児を抱くことができるバッグ兼抱っこ補助具が知られている（例えば、特許文献１）。バッグ兼抱っこ補助具では、バッグに幼児が腰掛けるように構成されていて、バッグの背面と、第１連結帯と、第２連結帯と、によって幼児の臀部が覆われ安定的に保持される。幼児の背中は、腰部保持ベルトによって保持される。
【０００３】
他のベビーホルダー兼ウエストバッグでは、常に幼児を安定させた状態で保持することができる（例えば、特許文献２）。ベビーホルダー兼ウエストバッグで幼児を抱く際は、吊りベルトを肩に掛け、ウエストバッグ本体に幼児を腰掛けさせ、尻当て及び補助ベルトで幼児を保持する。ウエストバッグとして使用する際は、ウエストバッグ本体に吊りベルト等を収納する。
【先行技術文献】
【特許文献】
【０００４】
【特許文献１】特開２０１３−５６１号公報
【特許文献２】特開平１０−３１３９２９号公報
【発明の概要】
【発明が解決しようとする課題】
【０００５】
しかしながら、バッグ兼抱っこ補助具では、幼児を抱く際には腰部保持ベルトによって背中を保持しているだけであるため、安定性に欠けていた。また、バッグに幼児が腰掛ける構成であるため、バッグの中身が幼児の体重によって押し潰されてしまうことがあった。さらに、バッグ兼抱っこ補助具はワンショルダータイプの抱っこ補助具であるため、一方の肩に幼児の体重が掛かるため、肩への負担が大きかった。
【０００６】
また、ベビーホルダー兼ウエストバッグは、ウエストバッグとして使用する際に幼児を抱くための吊りベルト等をウエストバッグ本体に収納するため、ウエストバッグの収納スペースが狭くなり他の荷物を入れることが難しかった。さらに、吊りベルトをウエストバッグ本体に収納する構造では、吊りベルトを取り出すとき及び収納するときに手間がかかり、ベビーホルダーとして使用するときに時間がかかっていた。
【０００７】
そこで、本発明は、安定的かつ肩への負担を軽減させて幼児を抱くことができる抱っこ紐の機能を有するウエストバッグを提供することを目的とする。
【課題を解決するための手段】
【０００８】
上記課題を解決するために第１の発明は、物品を収納可能な収納部と、ユーザの腰の周囲に取り付ける腰ベルト部と、前記収納部と前記腰ベルト部とを繋ぐ接続部と、一端が前記収納部に固定され、他端が前記接続部又は前記収納部に固定され、前記ユーザが両肩に背負う背ベルトと、を有し、前記収納部と前記接続部との接続部分には第１折れ線が規定され、前記接続部と前記腰ベルト部との接続部分には第２折れ線が規定され、前記第１折れ線と前記第２折れ線とを折り畳んだ状態では、前記接続部が前記収納部及び前記腰ベルト部と重複するとともに、前記背ベルトは前記第１折れ線を折り畳むことにより前記接続部と前記収納部との間に規定されるベルト収納空間に収納されることを特徴とするウエストバッグを提供している。
【０００９】
第２の発明では、第１の発明に記載されたウエストバッグであって、前記ユーザ幼児を抱いた状態で前記腰ベルト部を腰に取り付けるとともに前記背ベルトを両肩に背負ったとき、前記収納部は幼児の背中又は腹部を保持し、前記接続部が幼児の臀部を保持し、前記接続部と前記ユーザの腹部との間の空間から前記幼児の脚部が露出することを特徴としている。
【００１０】
第３の発明では、第１の発明又は第２の発明に記載されたウエストバッグであって、前記腰ベルト部は、前記接続部が接続される被接続部を有し、前記接続部は、幅方向全幅に亘って前記収納部及び前記被接続部に接続することを特徴としている。
【００１１】
第４の発明では、第１の発明から第３の発明のいずれかに記載されたウエストバッグであって、前記収納部には係止部が設けられていて、前記腰ベルト部には係止部と係止可能な被係止部が設けられていて、前記第１折れ線と前記第２折れ線とを折り畳んだとき、前記係止部と前記被係止部とが互いに係止されることを特徴としている。
【００１２】
第５の発明では、物品を収納可能な収納部と、ユーザの腰の周囲に取り付ける腰ベルト部と、前記収納部と前記腰ベルト部とを繋ぐ接続部と、一端が前記収納部に固定され、他端が前記接続部又は前記収納部に固定され、前記ユーザが両肩に背負う背ベルトと、を有し、前記接続部と収納部との接続部分には折れ線が規定され、前記折れ線を折り畳んだ状態では、前記収納部が前記腰ベルト部及び前記接続部と重複するとともに、前記背ベルトは前記折れ線を折り畳むことにより前記腰ベルト部及び接続部と前記収納部との間に規定されるベルト収納空間に収納されることを特徴とするウエストバッグを提供している。
【発明の効果】
【００１３】
第１の発明によると、第１折れ線を折り畳むことにより形成されるベルト収納空間に背ベルトが収納されるため、収納部の内部空間を背ベルトが占拠することがない。これにより、収納部に十分に物品の収納スペースを確保することができる。また、第１折れ線と第２折れ線とを折り畳んだ状態では、接続部が、収納部及び腰ベルト部と重複しているため、接続部及び背ベルトが収納部と腰ベルト部との間に挟まれた状態となる。これにより、外部に接続部及び背ベルトが露出しないため、デザイン性を損なうことなくウエストバッグに抱っこ紐の機能を持たせることができる。さらに、収納部と腰ベルト部とが接続部により接続されているため、背ベルトを両肩に背負ったとき、腰ベルト部が腰に巻かれ収納部がユーザの胸の位置となる。これにより、幼児を抱っこした状態であっても、収納部の物品を取り出すことができる。例えば、収納部が腰の周囲に位置している場合には、幼児が妨げとなって収納部を視認し難くなるとともに内部の物品が取り出し難い。しかし、本件発明によると、収納部がユーザの胸の高さに位置していることから、収納部内部を視認することができるとともに収納部の物品を容易に取り出すことができる。さらに、一端が収納部に固定され接続部又は収納部に固定された背ベルトを有しているため、一方の肩に背負うタイプのワンショルダー型の抱っこ紐と比較して、肩への負担を軽減することができる。
【００１４】
第２の発明によると、収納部で幼児の背中又は腹部を保持し接続部が幼児の臀部を保持し接続部とユーザの腹部との間から幼児の脚部が露出するため、幼児を安定的に支えることができる。収納部で幼児の背中又は腹部を保持するため、ユーザと幼児とが向かい合った状態で幼児を抱くことができるとともに、ユーザと幼児とが同じ方向を向いた状態で幼児を抱くことができる。また、収納部は幼児の背中又は腹部を保持しており収納部に幼児の体重が掛からないため、収納部内部の物品が潰されることがない。
【００１５】
第３の発明によると、接続部は幅方向全幅に亘って収納部及び被接続部と接続されているため、ウエストバッグを抱っこ紐として使用したときに幼児を安定的に抱くことができる。
【００１６】
第４の発明によると、第１折れ線と第２折れ線とを折り畳んだ状態で係止部と被係止部とを係止させることにより、ベルト収納空間に背ベルトが収納された状態を維持することができる。これにより、外部に接続部及び背ベルトが露出しないため、デザイン性を損なうことなくウエストバッグに抱っこ紐の機能を持たせることができる。また、係止部と被係止部との係止を解除することにより、収納部が重力によって自動的に落ちてベルト収納空間に収納されていた背ベルトをすぐに取り出すことができる利点がある。
【００１７】
第５の発明によると、折れ線を折り畳むことにより形成されるベルト収納空間に背ベルトが収納されるため、収納部の内部空間を背ベルトが占拠することがない。これにより、収納部に十分に物品の収納スペースを確保することができる。また、折れ線を折り畳んだ状態では、収納部と、腰ベルト部及び接続部と、が重複しているため、背ベルトが収納部と腰ベルト部及び接続部との間に挟まれた状態となる。これにより、外部に背ベルトが露出しないため、デザイン性を損なうことなくウエストバッグに抱っこ紐の機能を持たせることができる。さらに、折れ線が収納部と接続部との接続部分に規定されているため、収納部が占める部分が拡大し容量を大きくすることができる。
【００１８】
本発明によって、安定的かつ肩への負担を軽減させて幼児を抱くことができる抱っこ紐の機能を有するウエストバッグを提供することができる。
【図面の簡単な説明】
【００１９】
【図１】本発明の第１の実施の形態のウエストバッグの平面図。
【図２】本発明の第１の実施の形態のウエストバッグを抱っこ紐として使用した状態を示す斜視図。
【図３】本発明の第１の実施の形態のウエストバッグの背ベルトを収納する収納方法を示す説明図。
【図４】本発明の第１の実施の形態のウエストバッグのベルト収容空間を示す斜視図。
【図５】本発明の第１の実施の形態のウエストバッグをバッグとして使用した状態を示す斜視図。
【図６】本発明の第２の実施の形態のウエストバッグの平面図。
【発明を実施するための形態】
【００２０】
本発明の第１の実施の形態のウエストバッグ１を図１乃至図５に基づき説明する。図１乃至図３に示すように、前後上下左右方向を定義する。ウエストバッグ１は、図２に示すようにユーザ１０が幼児２０を抱く際の抱っこ紐としての機能を有するとともに、図５に示すようにユーザ１０の腰に巻回するバッグとしての機能を有する。
【００２１】
ウエストバッグ１は、収納部２と、腰ベルト部３と、接続部４と、背ベルト５と、から構成される。収納部２は内部に物品を収納するための収納空間が規定されていて、チャック２１と、第１係止部２２と、第２係止部２３と、第３係止部２４と、を有している。チャック２１は、収納部２の左右方向に延びるように形成されていて、紐部２１Ａが設けられている。
【００２２】
第１係止部２２と、第２係止部２３と、第３係止部２４と、は樹脂製のバックルであって、略同一の形状をなしている。第１係止部２２は収納部２の右側端部から右方向に延出し、第２係止部２３は収納部２の左側端部から左方向に延出し、第３係止部２４は収納部２の上面から上方に向けて延出している。
【００２３】
腰ベルト部３はユーザ１０の腰に巻回され、被接続部３１と、第１バンド部３２と、第２バンド部３３と、を有している。被接続部３１は、第１バンド部３２及び第２バンド部３３と比較して、上下方向に幅があり前後方向に厚みを有している。被接続部３１の上端の略中央部分には、接続部４が接続される。
【００２４】
被接続部３１は、第１係止部２２と係止可能な第１被係止部３４と、第２係止部２３と係止可能な第２被係止部３５と、第３係止部２４と係止可能な第３被係止部３６（図３（ａ））と、第４係止部３７と、を有している。第１被係止部３４は、被接続部３１の前面右部に配置され、ウエストバッグ１をバッグとして使用したとき、第１係止部２２に係止される。第２被係止部３５は、被接続部３１の前面左部に配置され、図５に示すように、ウエストバッグ１をバッグとして使用したとき、第２係止部２３に係止される。第３被係止部３６は被接続部３１の後面中央部に配置され、ウエストバッグ１をバッグとして使用したとき、第３係止部２４に係止される。本実施の形態では、第１被係止部３４、第２被係止部３５、及び第３被係止部３６は、略同一形状であっていずれも樹脂製のバックルである。第１係止部２２、第２係止部２３、及び第３係止部２４は本発明の係止部に相当し、第１被係止部３４、第２被係止部３５、及び第３被係止部３６は本発明の被係止部に相当する。
【００２５】
第１バンド部３２は、被接続部３１の右端部から延出するベルト状の部材であって、先端に第５係止部３２Ａを備えている。第２バンド部３３は、被接続部３１の左端部から延出するベルト状の部材であって、先端に第５係止部３２Ａと係止可能な第５被係止部３３Ａを備えている。本実施の形態では、第５係止部３２Ａ及び第５被係止部３３Ａは樹脂製のバックルである。
【００２６】
接続部４は、左右方向全幅に亘って収納部２及び被接続部３１に接続するとともに、略中央部に第４係止部３７と係止可能な第４被係止部４１を備えている。本実施の形態では、第４係止部３７及び第４被係止部４１は面ファスナーである。接続部４と収納部２との接続部分には図１に一点鎖線で示すような第１折れ線４Ａが規定され、接続部４と腰ベルト部３との接続部分には二点鎖線で示すような第２折れ線４Ｂが規定されている。第１折れ線４Ａは平面視において山折の折れ線であって、第２折れ線４Ｂは平面視において谷折りの折れ線である。
【００２７】
背ベルト５は、右背ベルト５１と、左背ベルト５２と、を備えている。右背ベルト５１は、一端が収納部２に接続し他端が接続部４の右端部に接続している。右背ベルト５１は図示せぬ調整機構により長さが調整可能であって、略中央部には第６係止部５１Ａが設けられている。左背ベルト５２は、一端が収納部２に接続し他端が接続部４の左端部に接続している。左背ベルト５２は図示せぬ調整機構により長さが調整可能であって、略中央部には第６係止部５１Ａと係止可能な第６被係止部５２Ａが設けられている。本実施の形態では、第６係止部５１Ａ及び第６被係止部５２Ａは樹脂製のバックルである。右背ベルト５１の他端は接続部４の右端部に接続していたが、収納部２の右下端部に接続してもよい。また、左背ベルト５２の他端は接続部４の左端部に接続していたが、収納部２の左下端部に接続してもよい。
【００２８】
次に、図２を参照して、ウエストバッグ１を抱っこ紐として使用した状態を説明する。ユーザ１０は、第５係止部３２Ａと第５被係止部３３Ａとを係止させることにより腰ベルト部３を腰に巻回する。幼児２０を抱っこし、収納部２及び接続部４とユーザ１０との間に幼児２０を入れ、右背ベルト５１及び左背ベルト５２を両肩に背負う。収納部２は幼児２０の背中部分を保持し、接続部４は幼児２０の臀部周囲を保持し、幼児２０の脚部は接続部４とユーザ１０の腹部との間から露出する。ユーザ１０は、左背ベルト５２及び右背ベルト５１が肩から外れないように、第６係止部５１Ａと第６被係止部５２Ａとを係止させる。このとき、収納部２は、幼児２０の背中部分であってユーザ１０の胸の高さに位置している。幼児２０は、ユーザ１０と向き合うようにウエストバッグ１によって抱っこされているが、ユーザ１０と幼児２０とが同じ方向を向くように幼児２０を抱っこしてもよい。このとき、収納部２は幼児２０の腹部を保持する。
【００２９】
次に、図３を参照して、ウエストバッグ１を抱っこ紐からバッグとしての使用する方法を説明する。図３（ａ）は、図１に示すウエストバッグ１を裏返し、右背ベルト５１及び左背ベルト５２を直線的に配置した状態である。この状態から、第２折れ線４Ｂを被接続部３１が紙面奥側に向かって回転し接続部４と被接続部３１とが重なるように折り畳むと、図３（ｂ）に示す状態となる。図３（ｃ）に示すように、右背ベルト５１及び左背ベルト５２を斜めに折り畳む。詳細には、図４に示すように、収納部２の後面に収まるように折り畳む。このとき、収納部２の後面と接続部４の後面とによって規定される空間がベルト収納空間４ａとなり、背ベルト５は当該ベルト収納空間４ａに収納される。図３（ｄ）に示すように、第１折れ線４Ａを収納部２が紙面手前側に回転し収納部２と接続部４とが重なるように折り畳み、第１係止部２２と第１被係止部３４とを係止し、第２係止部２３と第２被係止部３５とを係止し、第３係止部２４と第３被係止部３６とを係止し、第４係止部３７と第４被係止部４１とを係止する。このとき、平面視において接続部４が収納部２及び腰ベルト部３と重複した状態であって、収納部２の後面と接続部４との間のベルト収納空間４ａに背ベルト５が収納される。
【００３０】
ウエストバッグ１をバッグとして使用する際は、図５に示すように、腰ベルト部３を腰に巻回し第５係止部３２Ａと第５被係止部３３Ａとを係止させる。ウエストバッグ１を腰に巻回した状態のまま抱っこ紐として使用したい場合には、第１係止部２２と第１被係止部３４との係止を解除し、第２係止部２３と第２被係止部３５との係止を解除し、第３係止部２４と第３被係止部３６との係止を解除し、第４係止部３７と第４被係止部４１とを離間させる。これにより、重力によって自動的に収納部２が前方に倒れ、ベルト収納空間４ａから背ベルト５が露出する。収納部２の後面と接続部４との間のベルト収納空間４ａに折り畳んで収納された背ベルト５を取り出し、幼児２０を抱っこして右背ベルト５１及び左背ベルト５２を両肩に背負う。これにより、簡易な操作によってウエストバッグ１を腰に巻回した状態のまま抱っこ紐として使用することができる。
【００３１】
ウエストバッグ１を腰に巻回した状態のまま再びバッグとして使用するときは、背ベルト５を外して幼児２０を降ろし、右背ベルト５１及び左背ベルト５２をベルト収納空間４ａに折り畳んで収納する。第１折れ線４Ａ及び第２折れ線４Ｂを折り畳み、第１係止部２２と第１被係止部３４とを係止し、第２係止部２３と第２被係止部３５とを係止し、第３係止部２４と第３被係止部３６とを係止し、第４係止部３７と第４被係止部４１とを係止する。これにより、簡易な操作によってウエストバッグ１を腰に巻回した状態のまま再びバッグとして使用することができる。
【００３２】
このような構成によると、第１折れ線４Ａを折り畳むことにより形成されるベルト収納空間４ａに右背ベルト５１及び左背ベルト５２が収納されるため、収納部２の内部空間を背ベルト５が占拠することがない。これにより、収納部２に十分に物品の収納スペースを確保することができる。また、第１折れ線４Ａと第２折れ線４Ｂとを折り畳んだ状態では、接続部４が、収納部２及び腰ベルト部３と重複しているため、接続部４及び背ベルト５が収納部２と腰ベルト部３との間に挟まれた状態となる。これにより、外部に接続部４及び背ベルト５が露出しないため、デザイン性を損なうことなくウエストバッグ１に抱っこ紐の機能を持たせることができる。さらに、収納部２と腰ベルト部３とが接続部４により接続されているため、背ベルト５を両肩に背負ったとき、腰ベルト部３が腰に巻かれ収納部２がユーザ１０の胸の位置となる。これにより、幼児２０を抱っこした状態であっても、収納部２の物品を取り出すことができる。例えば、収納部が腰の周囲に位置している場合には、幼児が妨げとなって収納部を視認し難くなるとともに内部の物品が取り出し難い。しかし、本件発明によると、収納部２がユーザ１０の胸の高さに位置していることから、収納部２内部を視認することができるとともに収納部２の物品を容易に取り出すことができる。さらに、一端が収納部２に固定され接続部４又は収納部２に固定された背ベルト５を有しているため、一方の肩に背負うタイプのワンショルダー型の抱っこ紐と比較して、肩への負担を軽減することができる。
【００３３】
このような構成によると、収納部２で幼児２０の背中又は腹部を保持し接続部４が幼児２０の臀部を保持し接続部４とユーザ１０の腹部との間から幼児２０の脚部が露出するため、幼児２０を安定的に支えることができる。収納部２で幼児２０の背中又は腹部を保持するため、ユーザ１０と幼児２０とが向かい合った状態で幼児２０を抱くことができるとともに、ユーザ１０と幼児２０とが同じ方向を向いた状態で幼児２０を抱くことができる。また、収納部２は幼児２０の背中又は腹部を保持しており収納部２に幼児２０の体重が掛からないため、収納部２内部の物品が潰されることがない。
【００３４】
このような構成によると、接続部４は幅方向全幅に亘って収納部２及び被接続部３１と接続されているため、ウエストバッグ１を抱っこ紐として使用したときに幼児２０を安定的に抱くことができる。
【００３５】
このような構成によると、第１折れ線４Ａと第２折れ線４Ｂとを折り畳んだ状態で第１係止部２２、第２係止部２３、及び第３係止部２４をそれぞれ第１被係止部３４、第２被係止部３５、及び第３被係止部３６とを係止させることにより、ベルト収納空間４ａに背ベルト５が収納された状態を維持することができる。これにより、外部に接続部４及び背ベルト５が露出しないため、デザイン性を損なうことなくウエストバッグ１に抱っこ紐の機能を持たせることができる。また、ウエストバッグ１を腰に巻回した状態のまま、第１係止部２２、第２係止部２３、及び第３係止部２４と、第１被係止部３４、第２被係止部３５、及び第３被係止部３６との係止を解除することにより、収納部２が重力によって自動的に落ちてベルト収納空間４ａに収納されていた背ベルト５をすぐに取り出すことができる利点がある。
【００３６】
次に、第２の実施の形態について、図６を参照して説明する。第１の実施の形態と同一の構成は同一の符号を付し説明を省略する。第１の実施の形態では収納部２と接続部４との接続部分に第１折れ線４Ａが規定され接続部４と腰ベルト部３との接続部分に第２折れ線４Ｂが規定されていたが、第２の実施の形態のウエストバッグ１０１では、収納部１０２と接続部１０４との接続部分に折れ線１０４Ａが規定されている。
【００３７】
ウエストバッグ１０１は、収納部１０２と、腰ベルト部１０３と、接続部１０４と、背ベルト５と、を有している。収納部１０２は、収納部２と比較して上下方向に長く容量が大きい。腰ベルト部１０３は、被接続部１３１と、第１バンド部３２と、第２バンド部３３と、第１被係止部１３４と、第２被係止部１３５と、第３被係止部１３６と、を備えている。
【００３８】
第１被係止部１３４は、図６に点線で示すように被接続部１３１の後面右部に配置され、ウエストバッグ１０１をバッグとして使用したとき第１係止部２２に係止される。第２被係止部１３５は、図６に点線で示すように被接続部１３１の後面左部に配置され、ウエストバッグ１０１をバッグとして使用したとき第２係止部２３に係止される。第３被係止部１３６は、被接続部１３１の前面中央部に配置され、ウエストバッグ１０１をバッグとして使用したとき第３係止部２４に係止される。
【００３９】
接続部１０４は、左右方向全幅に亘って収納部１０２及び被接続部１３１に接続している。収納部１０２と接続部１０４との接続部分には、図６に一点鎖線で示すような折れ線１０４Ａが規定されている。折れ線１０４Ａは、平面視において山折の折れ線である。
【００４０】
ウエストバッグ１０１を抱っこ紐として使用している状態からバッグとして使用するときは、ユーザは第５係止部３２Ａと第５被係止部３３Ａとの係止を解除してウエストバッグ１０１を腰から外し、右背ベルト５１及び左背ベルト５２を、収納部１０２の後面と、被接続部１３１及び接続部１０４の後面と、によって規定されたベルト収納空間に折り畳んで配置する。折れ線１０４Ａを折り畳むことで収納部１０２の後面と、被接続部１３１及び接続部１０４の後面と、を対向させ、第１係止部２２と第１被係止部１３４とを係止し、第２係止部２３と第２被係止部１３５とを係止し、第３係止部２４と第３被係止部１３６とを係止する。このとき、平面視において収納部１０２と接続部１０４及び腰ベルト部１０３の少なくとも一部とが重複した状態であって、背ベルト５が収納部１０２の後面と被接続部１３１及び接続部１０４の後面との間のベルト収納空間に収納される。
【００４１】
ウエストバッグ１０１を再びバッグから抱っこ紐として使用するときは、ユーザは第５係止部３２Ａと第５被係止部３３Ａとの係止を解除してウエストバッグ１０１を腰から外す。第１係止部２２と第１被係止部１３４との係止を解除し、第２係止部２３と第２被係止部１３５との係止を解除し、第３係止部２４と第３被係止部１３６との係止を解除する。再び第５係止部３２Ａと第５被係止部３３Ａとを係止してウエストバッグ１０１を腰に巻回し、背ベルト５を両肩に背負うことにより、ウエストバッグ１０１を抱っこ紐として使用することができる。
【００４２】
このような構成によると、折れ線１０４Ａを折り畳むことにより形成されるベルト収納空間に背ベルト５が収納されるため、収納部１０２の内部空間を背ベルト５が占拠することがない。これにより、収納部１０２に十分に物品の収納スペースを確保することができる。また、折れ線１０４Ａを折り畳んだ状態では、収納部１０２と、腰ベルト部１０３及び接続部１０４と、が重複しているため、背ベルト５が収納部１０２と腰ベルト部１０３及び接続部１０４との間に挟まれた状態となる。これにより、外部に背ベルト５が露出しないため、デザイン性を損なうことなくウエストバッグ１０１に抱っこ紐の機能を持たせることができる。さらに、折れ線が収納部と接続部との接続部分に規定されているため、収納部１０２が占める部分が拡大し容量を大きくすることができる。
【００４３】
本発明によるウエストバッグは、上述した実施の形態に限定されず、特許請求の範囲に記載された発明の要旨の範囲内で種々の変更が可能である。
【００４４】
上述の実施の形態では、第１係止部２２、第２係止部２３、第３係止部２４、第５係止部３２Ａ、及び第６係止部５１Ａ、並びに第１被係止部３４、第２被係止部３５、第３被係止部３６、第５被係止部３３Ａ、及び第６被係止部５２Ａとして樹脂製のバックルを使用したが、これに限定されない。例えば、金属製のバックル、ボタン、スナップボタン、フック、面ファスナー、磁石等を用いてもよい。
【００４５】
上述の実施の形態では、収納部２と腰ベルト部３とを固定するために３つの係止部（第１係止部２２、第２係止部２３、第３係止部２４）及び被係止部（第１被係止部３４、第２被係止部３５、及び第３被係止部３６）が設けられていたが、これに限定されない。係止部及び被係止部は、１つ又は２つであってもよく、４つ以上であってもよい。また、収納部２の形状等に応じて係止部を設ける位置は任意に設定することができる。
【００４６】
上述の実施の形態では、第４係止部３７、及び第４被係止部４１として面ファスナーを用いたが、これに限定されない。例えば、例えば、ボタン、スナップボタン、フック、樹脂製又は金属製のバックル、磁石等を用いてもよい。
【符号の説明】
【００４７】
１、１０１  ウエストバッグ
２、１０２      収納部
３、１０３      腰ベルト部
４      接続部
４Ａ    第１折れ線
４Ｂ    第２折れ線
４ａ    ベルト収納空間
５      背ベルト
１０    ユーザ
２０    幼児
２２    第１係止部
２３    第２係止部
２３    第３係止部
３１、１３１    被接続部
３４、１３４    第１被係止部
３５、１３５    第２被係止部
３６、１４６    第３被係止部
１０４Ａ  折れ線
【図１】
2019188077.tif 000003
【図２】
2019188077.tif 000004
【図３】
2019188077.tif 000005
【図４】
2019188077.tif 000006
【図５】
2019188077.tif 000007
【図６】
2019188077.tif 000008